(57)【要約】【課題】制作済み放送コンテンツの素材構成・レイアウトを極力変更せずに、デジタルコンテンツの総データサイズを削減し、その削減量を時間的に変化させることを可能とするコンテンツ編集装置を提供すること【解決手段】コンテンツ編集装置４は、データ放送用の原コンテンツを構成する原素材データのデータサイズを削減して変換素材データを生成するための条件を示す変換条件と、変換素材データを含む変換コンテンツと原コンテンツの送出条件を記憶する編集条件記憶部２１と、変換条件に従って、変換素材データを生成する素材変換手段１３と、送出条件に従って、原コンテンツの送出情報が示す時間と等しくなるように変換コンテンツ及び原コンテンツの送出順序及び送出時間を示す変換送出情報を生成する時系列変化加工手段１５と、を備えている。【選択図】図１
2008160481.tif 000002
【特許請求の範囲】
【請求項１】
データ放送用の原コンテンツを構成する原素材データのデータサイズを削減して変換素材データを生成するための条件を示す変換条件と、前記変換素材データを含む変換コンテンツと前記原コンテンツの送出条件を記憶する編集条件記憶部と、
前記変換条件に従って、前記変換素材データを生成する素材変換手段と、
前記送出条件に従って、前記原コンテンツの送出情報が示す時間と等しくなるように前記変換コンテンツ及び前記原コンテンツの送出順序及び送出時間を示す変換送出情報を生成する時系列変化加工手段と、
を備えたことを特徴とするコンテンツ編集装置。
【請求項２】
前記変換条件には、データサイズの削減率の上限を示す上限削減率が含まれ、
前記素材変換手段は、前記変換素材データのデータサイズの前記原素材データのデータサイズに対する比率が前記削減率以上となるようにデータサイズの削減を行うことを特徴とした請求項１に記載のコンテンツ編集装置。
【請求項３】
前記変換条件には、データ形式の変換を許可するか否かを示す情報が含まれ、
前記素材変換手段は、データ形式の変換が許可されたデータ形式の原素材データのデータ形式を変換することを特徴とした請求項１または請求項２に記載のコンテンツ編集装置。
【請求項４】
前記変換条件には、目標取得時間が含まれ、
前記素材変換手段は、前記変換送出情報に従って前記変換コンテンツと前記原コンテンツを送出した場合に、これらのコンテンツを取得して表示する表示端末が前記変換コンテンツと前記原コンテンツを取得するのに要する時間が前記目標時間以下となるようにデータサイズの削減を行うことを特徴とした請求項１ないし請求項３のいずれかひとつに記載のコンテンツ編集装置。
【請求項５】
前記素材変換手段は、前記各原素材データについてデータサイズの削減率が異なる複数の変換素材データを生成することを特徴とした請求項１ないし請求項４のいずれかひとつに記載のコンテンツ編集装置。
【請求項６】
前記編集条件は、前記原素材データのデータ形式毎に定められていることを特徴とした請求項１ないし請求項５のいずれかひとつに記載のコンテンツ編集装置。
【請求項７】
前記原コンテンツを前記原送出情報に従って送出した場合と、前記変換コンテンツと前記原コンテンツを前記変換送出情報に従って送出した場合の前記表示端末におけるコンテンツの表示状態と、前記素材変換手段によるデータサイズの削減内容と、前記変換送出情報を表示するプレビュー手段と、
前記変換条件と前記送出条件の変更を指示する情報の入力を受け付けて前記編集条件記憶部に記憶された前記変換条件と前記送出条件を更新する変換指示手段と、を備え、
前記データサイズ変換手段と前記時系列変化加工手段は、更新された変換条件及び送出条件に従って、それぞれ、前記変換素材データと前記変換後送出情報を再生成することを特徴とした請求項１ないし請求項６のいずれかひとつに記載のコンテンツ編集装置。
【請求項８】
記憶装置からデータ放送用の原コンテンツを構成する原素材データのデータサイズを削減して変換素材データを生成するための条件を示す変換条件を読み出し、この変換条件に従って、前記変換素材データを生成する素材変換工程と、
記憶装置から前記変換素材データを含む変換コンテンツと前記原コンテンツの送出条件を読み出し、この送出条件に従って、前記原コンテンツの送出情報が示す時間と等しくなるように前記変換コンテンツ及び前記原コンテンツの送出順序及び送出時間を示す変換送出情報を生成する時系列変化加工工程と、
を備えたことを特徴とするコンテンツ編集方法。
【請求項９】
前記変換条件には、データサイズの削減率の上限を示す上限削減率が含まれ、
前記素材変換工程では、前記変換素材データのデータサイズの前記元素材データのデータサイズに対する比率が前記削減率以上となるようにデータサイズの削減を行うことを特徴とした請求項８に記載のコンテンツ編集方法。
【請求項１０】
前記変換条件には、データ形式の変換を許可するか否かを示す情報が含まれ、
前記素材変換工程では、データ形式の変換が許可されたデータ形式の原素材データのデータ形式を変換することを特徴とした請求項８または請求項９に記載のコンテンツ編集方法。
【請求項１１】
前記変換条件には、目標取得時間が含まれ、
前記素材変換工程では、前記変換送出情報に従って前記変換コンテンツと前記原コンテンツを送出した場合に、これらのコンテンツを取得して表示する表示端末が前記変換コンテンツと前記原コンテンツを取得するのに要する時間が前記目標時間以下となるようにデータサイズの削減を行うことを特徴とした請求項８ないし請求項１０のいずれかひとつに記載のコンテンツ編集方法。
【請求項１２】
前記素材変換工程では、前記各原素材データについてデータサイズの削減率が異なる複数の変換素材データを生成することを特徴とした請求項８ないし請求項１１のいずれかひとつに記載のコンテンツ編集方法。
【請求項１３】
前記編集条件は、前記原素材データのデータ形式毎に定められていることを特徴とした請求項８ないし請求項１２のいずれかひとつに記載のコンテンツ編集方法。
【請求項１４】
前記原コンテンツを前記原送出情報に従って送出した場合と、前記変換コンテンツと前記原コンテンツを前記変換後送出情報に従って送出した場合の前記表示端末におけるコンテンツの表示状態と、前記素材変換工程でのデータサイズの削減内容と、前記変換送出情報を表示するプレビュー工程と、
前記変換条件と前記送出条件の変更を指示する情報の入力を受け付けて前記記憶装置に記憶された前記変換条件と前記送出条件を更新する変換指示工程と、
更新された変換条件及び送出条件に従って、前記変換素材データと前記変換送出情報を再生成する再生成工程と、を備えたことを特徴とした請求項８ないし請求項１３のいずれかひとつに記載のコンテンツ編集方法。
【請求項１５】
コンピュータに、
記憶装置からデータ放送用の原コンテンツを構成する原素材データのデータサイズを削減して変換素材データを生成するための条件を示す変換条件を読み出し、この変換条件に従って、前記変換素材データを生成する素材変換処理と、
記憶装置から前記変換素材データを含む変換コンテンツと前記原コンテンツの送出条件を読み出し、この送出条件に従って、前記原コンテンツの送出情報が示す時間と等しくなるように前記変換コンテンツ及び前記原コンテンツの送出順序及び送出時間を示す変換送出情報を生成する時系列変化加工処理と、
を実行させることを特徴とするコンテンツ編集プログラム。
【請求項１６】
前記変換条件には、データサイズの削減率の上限を示す上限削減率が含まれ、
前記素材変換処理では、前記変換素材データのデータサイズの前記元素材データのデータサイズに対する比率が前記削減率以上となるようにデータサイズの削減を行うことを特徴とした請求項１５に記載のコンテンツ編集プログラム。
【請求項１７】
前記変換条件には、データ形式の変換を許可するか否かを示す情報が含まれ、
前記素材変換処理では、データ形式の変換が許可されたデータ形式の原素材データのデータ形式を変換することを特徴とした請求項１５または請求項１６に記載のコンテンツ編集プログラム。
【請求項１８】
前記変換条件には、目標取得時間が含まれ、
前記素材変換処理では、前記変換送出情報に従って前記変換コンテンツと前記原コンテンツを送出した場合に、これらのコンテンツを取得して表示する表示端末が前記変換コンテンツと前記原コンテンツを取得するのに要する時間が前記目標時間以下となるようにデータサイズの削減を行うことを特徴とした請求項１５ないし請求項１７のいずれかひとつに記載のコンテンツ編集プログラム。
【請求項１９】
前記素材変換処理では、前記各原素材データについてデータサイズの削減率が異なる複数の変換素材データを生成することを特徴とした請求項１５ないし請求項１８のいずれかひとつに記載のコンテンツ編集プログラム。
【請求項２０】
前記編集条件は、前記原素材データのデータ形式毎に定められていることを特徴とした請求項１５ないし請求項１９のいずれかひとつに記載のコンテンツ編集プログラム。
【請求項２１】
前記コンピュータに、
前記原コンテンツを前記原送出情報に従って送出した場合と、前記変換コンテンツと前記原コンテンツを前記変換送出情報に従って送出した場合の前記表示端末におけるコンテンツの表示状態と、前記素材変換処理によるデータサイズの削減内容と、前記変換後送出情報を表示するプレビュー処理と、
前記変換条件と前記送出条件の変更を指示する情報の入力を受け付けて前記編集条件記憶部に記憶された前記変換条件と前記送出条件を更新する変換指示処理と、
更新された変換条件及び送出条件に従って、前記変換素材データと前記変換後送出情報を再生成する再生成処理と、を実行させることを特徴とした請求項１５ないし請求項２０のいずれかひとつに記載のコンテンツ編集プログラム。
【発明の詳細な説明】
【技術分野】
【０００１】
本発明はコンテンツ編集装置に関し、特にデータ放送向けの制作済みコンテンツをコンテンツ表示端末が取得する時間を短縮できるようにコンテンツ素材を加工するコンテンツ編集装置に関する。
【背景技術】
【０００２】
従来、データ放送向けのコンテンツを編集するコンテンツ編集装置は、静止画、動画、テキスト及び音声データ等のコンテンツ素材及び当該素材の表示レイアウトや表示順序等の制御情報をＸＭＬ（eXtensible Markup Language）に準ずる記述形式（ウェブページ用のＨＴＭＬ(HyperText Markup Language)、携帯電話用のｃＨＴＭＬ、デジタル放送用のＢＭＬ（Broadcast Markup Language）等）で表記されたデータで構成されるデジタルコンテンツを、テレビジョン受像機（以下、「ＴＶ」という）、パーソナルコンピュータ、テレビジョン受信機能付き携帯端末といったコンテンツ表示端末のメモリ容量や表示機能といった制限に合わせてデータサイズや画面表示サイズ等を再加工するものである。この種のコンテンツ編集装置による総データ量の削減により、コンテンツ表示端末の電源投入、ＴＶチャンネルの切り替え、リンク要素のクリック等による視聴者の閲覧要求から表示されるコンテンツの取得完了までの時間を短縮することが可能となる。
【０００３】
ここで、地上波デジタル放送でのデータ放送のように放送で扱われるデジタルコンテンツは、ＢＭＬと静止画といった各コンテンツ素材に加え、いつ放送されるのかという時間情報データもコンテンツに含まれ、インターネットや無線網で利用されるウェブページと異なる特徴がある。
【０００４】
従来システムの一例が、特許文献１、特許文献２、特許文献３、特許文献４に記載されている。
特許文献１による従来のコンテンツ編集装置は、コンテンツ素材である静止画や動画やソフトウェアオブジェクトを見つけ出し、オリジナルのコンテンツ素材をより少ないデータサイズの代替コンテンツ素材に置き換えることで、伝送に適したデータサイズになるように制作済みコンテンツを再加工する。
【０００５】
特許文献２による従来のコンテンツ編集装置は、パーソナルコンピュータのウェブページを表示するＨＴＭＬデータを携帯電話で表示するために編集加工するもので、任意のウェブページを複数のウェブページに分割して、画面表示領域やデータサイズを小さくする。この編集装置は、オリジナルコンテンツ代行取得手段とコンテンツ分割条件取得手段と分割したコンテンツ間のリンクを作成する手段と分割されたコンテンツの保管手段と分割したコンテンツの返送手段により構成される。ＨＴＭＬで記述されたコンテンツからのタグの切れ目を検出し、携帯端末のメモリ容量を越えないデータ量に収まるようにタグの切れ目でコンテンツを分割する。コンテンツの分割により、静止画、動画、文字、表といったコンテンツ素材の構成やレイアウトは、オリジナルのコンテンツと分断後のコンテンツは異なることになる。コンテンツ視聴者は、分断したコンテンツを個別に閲覧要求することで、コンテンツ全体を閲覧する。
【０００６】
特許文献３による従来のコンテンツ編集装置は、ウェブページのＨＴＭＬ記述を対象に、コンテンツ取得手段と、コンテンツ分割手段と、コンテンツ再構成手段から構成されおり、コンテンツ素材間のデータ記述上の距離という基準により、ウェブページが複雑なレイアウト構成になっていても制作済みコンテンツの表示内容の適切な区切りを見つけ出し、制作済みコンテンツを分断する工夫がなされている。
【０００７】
特許文献４による従来のコンテンツ編集装置は、デジタル放送のカルーセル伝送方式に着目し、データ送出で扱われるＴＳ（Ｔｒａｎｓｐｏｒｔ  Ｓｔｒｅａｍ）を対象として、セクション生成手段と接続セクション生成手段と接続モジュール生成手段とデータストリーム生成手段から構成されており、コンテンツ表示端末の画面表示に必要なデータのまとまりを見つけ出し、制作済みＴＳを画面表示のまとまり毎に再加工したＴＳを生成することで、コンテンツ表示端末のコンテンツ取得時間を短縮するものである。
【０００８】
【特許文献１】特表２００３−５１１７８２号公報
【特許文献２】特開２００１−２２９１０６号公報
【特許文献３】特開２００６−１５５１４７号公報
【特許文献４】特開２００５−９４０５１号公報
【発明の開示】
【発明が解決しようとする課題】
【０００９】
ＡＲＩＢ（Association of Radio Industries and Businesses、電波産業会）で制定された規格により運用されるデータ放送のデジタルコンテンツは、本編映像ストリームとは別に伝送されるため、ＴＶや携帯端末といった視聴者表示端末での本編映像とデータ放送の表示タイミングが必ずしも一致しない。特に、日本国内で２００６年に開始された１セグメント放送のようにデータ放送の伝送帯域が狭い場合は、デジタルＴＶでの視聴に較べてコンテンツ取得時間が長くなり、チャンネル切り替えからデータ放送コンテンツの取得が完了するまでの時間が長くなったり、本編映像とデータ放送の表示タイミングのズレが顕著となったりする。そこで、電源投入時、チャンネル切り替え時、データ放送コンテンツの送出内容切り替わり時に、極力データ放送コンテンツの取得時間をより短縮して即座にデータ放送コンテンツを表示端末画面に提示させる工夫がサービス品質の向上という観点で望まれる。
【００１０】
第１の問題点は、データサイズを削減したコンテンツ素材を提示し続けることにある。データサイズを削減することは、コンテンツ素材である画像データの画質や音声データの音声品質を落としたり、ＨＴＭＬやスクリプト記述等による表示制御機能を削除もしくは簡易化機能に置き換えたりすることにつながり、データサイズを削減したデジタルコンテンツを提示し続けることは、放送送出事業者が意図する放送効果を十分に満足しない。
【００１１】
データ取得時間の短縮を実現する上での第２の問題点は、１回に伝送されるデータ容量を小さくするためにコンテンツを分断するだけでは、データ放送では視聴者が要求する閲覧内容がコンテンツ表示端末に伝送できない場合がある、ということである。
その理由は、視聴者が閲覧を要求する毎に分断された個々のＨＴＭＬを配信するウェブシステムと違い、デジタル放送のデータ放送伝送規格では表示されるデータは一定時間区間において全て１つのまとまり（カルーセル）として構成され、デジタル放送送出設備からコンテンツ表示端末に一方向で送出されるためである。視聴者が、送出済みカルーセルに含まれていない任意の分断部分を閲覧したいときは、当該分断部分が送出されるまで待たなければならない。また、コンテンツの構成・レイアウトを変更するような作業は、コンテンツ制作者の表現意図を満たさなくなる可能性もあり、極力避けることが望ましい。
【００１２】
第３の問題点は、コンテンツ内容を並べ替えるだけでは、コンテンツ取得時間の短縮効果が限定的である、ということである。
その理由は、表示画面単位にコンテンツを構成する素材を並べ替えるため、コンテンツ取得時間の最小値は制作済みコンテンツ素材のデータサイズで限定される。不要に大きなデータサイズの静止画が混在するような場合は、データサイズを削減した場合に較べて、並べ替えだけではコンテンツ取得時間短縮効果が小さくなる。
【００１３】
本発明の目的は、制作済み放送コンテンツの素材構成・レイアウトを極力変更せずに、デジタルコンテンツの総データサイズを削減し、その削減量を時間的に変化させることを可能とするコンテンツ編集装置を提供することである。
本発明の他の目的は、コンテンツ素材のデータサイズの低減による要求画質品位や機能の劣化度合いを目視により確認し、対話形式でデータサイズの削減内容を調整できるコンテンツ編集装置を提供することにある。
【課題を解決するための手段】
【００１４】
本発明のコンテンツ編集装置は、データ放送用の原コンテンツを構成する原素材データのデータサイズを削減して変換素材データを生成するための条件を示す変換条件と、変換素材データを含む変換コンテンツと原コンテンツの送出条件を記憶する編集条件記憶部と、変換条件に従って、変換素材データを生成する素材変換手段と、送出条件に従って、原コンテンツの送出情報が示す時間と等しくなるように変換コンテンツ及び原コンテンツの送出順序及び送出時間を示す変換送出情報を生成する時系列変化加工手段と、を備えている（請求項１ないし請求項７）。
【００１５】
上記コンテンツ編集装置によれば、素材変換手段は、原コンテンツを構成する個々の素材データを、例えば、データ形式を変更したり圧縮率を変更したりすることによって、そのデータサイズを削減し変換素材データを生成する。時系列変化加工手段は、原コンテンツと変換コンテンツの送出順序と送出時間を調整し元コンテンツと変換コンテンツを送出する場合の送出時間が、現コンテンツだけを送出する場合の送出時間と等しくなるようにする。
そのため制作済み放送コンテンツの素材構成・レイアウトを極力変更せずに、放送コンテンツの総データサイズを削減し、その削減量を時間的に変化させることができる。
【００１６】
上記コンテンツ編集装置において、変換条件には、データサイズの削減率の上限を示す上限削減率が含まれ、素材変換手段は、変換素材データのデータサイズの原素材データのデータサイズに対する比率が削減率以上となるようにデータサイズの削減を行うようにしてもよい（請求項２）。
【００１７】
上記コンテンツ編集装置において、変換条件には、データ形式の変換を許可するか否かを示す情報が含まれ、素材変換手段は、データ形式の変換が許可されたデータ形式の原素材データのデータ形式を変換するようにしてもよい（請求項３）。
【００１８】
上記コンテンツ編集装置において、変換条件には、目標取得時間が含まれ、素材変換手段は、変換送出情報に従って変換コンテンツと原コンテンツを送出した場合に、これらのコンテンツを取得して表示する表示端末が変換コンテンツと原コンテンツを取得するのに要する時間が目標時間以下となるようにデータサイズの削減を行うようにしてもよい（請求項４）。
【００１９】
上記コンテンツ編集装置において、素材変換手段は、各原素材データについてデータサイズの削減率が異なる複数の変換素材データを生成するようにしてもよい（請求項５）。
【００２０】
上記コンテンツ編集装置において、編集条件を、原素材データのデータ形式毎に定めるようにしてもよい（請求項６）。
【００２１】
上記コンテンツ編集装置において、原コンテンツを原送出情報に従って送出した場合と、変換コンテンツと原コンテンツを変換送出情報に従って送出した場合の表示端末におけるコンテンツの表示状態と、素材変換手段によるデータサイズの削減内容と、変換送出情報を表示するプレビュー手段と、変換条件と送出条件の変更を指示する情報の入力を受け付けて編集条件記憶部に記憶された変換条件と送出条件を更新する変換指示手段と、を備え、データサイズ変換手段と時系列変化加工手段は、更新された変換条件及び送出条件に従って、それぞれ、変換素材データと変換後送出情報を再生成するようにしてもよい（請求項７）。
このようにすれば、利用者は、コンテンツ素材のデータサイズの低減による要求画質品位や機能の劣化度合いを目視により確認し、対話形式でデータサイズの削減内容を調整することができる。
【００２２】
本発明のコンテンツ編集方法及びコンテンツ編集プログラムによっても、上記コンテンツ編集装置と同様に上記課題を解決することができる。
【発明の効果】
【００２３】
本発明の、第１の効果は、原コンテンツの素材構成・レイアウトを変更せずに、コンテンツのデータサイズ削減量を時間的に変化させることができることにある。
第２の効果は、利用者がコンテンツ素材のデータ量の低減による画像の劣化度合いを目視で確認し、データ容量の削減程度を調整できることにある。
【発明を実施するための最良の形態】
【００２４】
次に、本発明の第１の実施形態であるコンテンツ編集装置４について図面を参照して詳細に説明する。
図１を参照すると、コンテンツ編集装置４は、プログラム制御により動作するデータ処理装置１と、情報を記憶する記憶装置２から構成されている。
記憶装置２は、編集条件記憶部２１を備え、各種編集加工作業の作業内容や作業上の制約条件を示す編集条件データを記憶する。編集条件データは、オリジナルコンテンツを構成する素材のデータサイズ削減をする際の条件（変換条件）と、オリジナルコンテンツと編集後のコンテンツの送出条件を含む。
【００２５】
データ処理装置１は、オリジナルコンテンツを読み込むコンテンツ読み込み手段１１と、コンテンツ表示端末がコンテンツを取得するのに要する時間を計算する取得時間計算手段１２と、コンテンツを構成する個々のコンテンツ素材のデータサイズを削減する素材変換処理手段１３と、編集前のオリジナルコンテンツの各素材及び素材変換手段１３でデータ量を削減されたコンテンツ素材のそれぞれについて送出する時間を決定する時系列変換加工手段１４と、上記手段により編集されたコンテンツを出力するコンテンツ出力手段１５とを含む。
【００２６】
これらの手段はそれぞれ概略つぎのように動作する。
コンテンツ読込手段１１は、複数のコンテンツ素材からなるオリジナルコンテンツをデータ処理装置１に取り込む。コンテンツ取得時間計算手段１２は、コンテンツ表示端末がコンテンツ素材を取得するために用いる伝送路の帯域幅とコンテンツ素材のデータサイズから、コンテンツ表示端末がコンテンツ素材を取得するのに要する時間を計算する。
【００２７】
素材変換処理手段１３は、オリジナルのコンテンツ素材（原素材データ）のデータフォーマットや画像品質等を解析し、データの圧縮率変更やデータフォーマットの変換手法を用いてオリジナルのコンテンツ素材を変換し、オリジナルのコンテンツ素材よりもデータサイズを減少させたコンテンツ素材（変換素材データ）を生成する。
【００２８】
時系列変化加工手段１４は、オリジナルコンテンツ素材と編集後のコンテンツ素材の送出順序及を確定し、オリジナルコンテンツの送出時間及びデータサイズを削減した編集済みのコンテンツ素材の送出時間の総和が、コンテンツ読み込み時に指定されていた編集前のオリジナルコンテンツの送出時間に等しくなるように、それぞれのコンテンツ素材の送出時間を計算する。また、時系列変化加工手段１４は、コンテンツ取得後に送出されるコンテンツ素材の組み合わせが変わった場合にコンテンツ表示端末の表示が更新されるように、オリジナルのＨＴＭＬやＢＭＬの画面表示制御に関する記述を更新する。オリジナルコンテンツ及び編集されたコンテンツは、コンテンツ出力手段１５により保存される。
【００２９】
次に、図１及び図２のフローチャートを参照してコンテンツ編集装置４の全体の動作について詳細に説明する。
まず、コンテンツ読込手段１１から読み込まれたオリジナルコンテンツ（図２のステップＡ１）は、取得時間計算手段１２によりコンテンツ素材毎のデータサイズと伝送路の利用可能帯域幅により、コンテンツ素材毎の取得時間及びコンテンツ全体の取得時間が計算される（ステップＡ２）。
【００３０】
次に、取得時間計算手段１２は、編集条件記憶部２１に保存されている編集条件データに含まれる取得目標時間を参照し、コンテンツ全体の取得時間が取得目標時間以下か否かを判別する（ステップＡ３）。取得時間が取得目標時間より大きければ、素材変換処理手段１３によりオリジナルコンテンツの静止画や音声データ等のデータ種別毎にデータフォーマットや圧縮状態に関する属性値が識別し、識別した情報と編集条件記憶部２１に保存されている編集条件からコンテンツ素材の圧縮率やデータフォーマットの変更が可能かどうか判定する（ステップＡ４）。圧縮率の変更やデータフォーマットの変更が可能であれば、データサイズを削減する（ステップＡ５）。
【００３１】
さらに、時系列変化加工手段１４は、オリジナルコンテンツの各素材及び編集後のコンテンツ素材を、一度に表示端末画面に表示されるまとまり（以降ページと称す）として、それぞれのページ毎に送出時間を決定し、送出されるページを構成するコンテンツ素材が変わると表示端末の表示内容が更新されるような表示制御記述を生成する（ステップＡ６）。
【００３２】
ステップＡ６で編集されたコンテンツは、再度コンテンツ取得時間計算手段２１によりページ単位でコンテンツの取得時間を計算し（ステップＡ２）、コンテンツ取得時間が基準を満足するか判別する（ステップＡ３）、という処理を繰り返す。
最後に、コンテンツの取得時間が基準を満足するか、編集条件記憶部２１に記憶された編集条件では、基準を満たすことが出来ないと判別すると、コンテンツ出力手段１５は、処理結果を出力する（ステップＡ７）。
【００３３】
次に、本実施の形態の効果について説明する。
本実施の形態では、コンテンツ素材のデータ量削減を実施する素材変換処理１３と、オリジナルコンテンツ素材及びデータ量を削減したコンテンツ送出時間の決定機構である時系列変化加工手段１４というように構成されているため、オリジナルコンテンツの表示レイアウトや素材の構成をオリジナルコンテンツのまま維持しつつ、オリジナルコンテンツだけが送出される場合に較べて特定の送出時間範囲における平均されたデータ取得時間を短縮できる。
【００３４】
次に、本発明の第２の実施形態であるコンテンツ編集装置５ついて図面を参照して詳細に説明する。図１のコンテンツ編集装置４と同一の構成要素には図１と同一の符号を付して説明を省略する。
図３を参照すると、コンテンツ編集装置５のデータ処理装置３は、図１のデータ処理装置１の構成に加え、プレビュー手段３６と変換指示手段３７を備えている。
【００３５】
プレビュー手段３６は、コンテンツ読込手段１１によって読み込まれた後に取得時間計算手段１２と素材変換手段１３と時系列変化加工手段１４により編集されたコンテンツ素材が、コンテンツ表示端末で実際に取得される様子を表示し、ユーザが確認できるようにする。
【００３６】
変換指示手段３７は、編集条件記憶部２１に記憶された編集条件データを修正する機能を有し、プレビュー手段３６による表示を確認したユーザにより入力された情報に従い編集条件データを更新する。取得時間計算手段１２、素材変換手段１３、時系列変化加工手段１４は、更新された編集条件データに従って第１の実施形態と同様の手順で再度コンテンツの編集を行う。
【００３７】
次に、図４のフローチャートを参照して本実施の形態の全体の動作について詳細に説明する。
コンテンツ読込手段１１からオリジナルコンテンツを読み込み（ステップＡ１）、取得時間計算手段１２によりコンテンツ全体の取得時間を計算し（ステップＡ２）、コンテンツ取得時間が基準値を満たしているかを判別し（ステップＡ３）、素材変換処理手段１３が編集条件記憶部２１の記憶内容から素材を変換してよいか判別し（ステップＡ４）、素材を変換可能な場合は、素材変換手段１３が編集条件記憶部２１の編集の条件に沿って素材のデータ量を削減し（ステップＡ５）、時系列変化加工手段１４で編集条件記憶部２１に記述された内容の時系列変化をするような編集する（ステップＡ６）。
【００３８】
続いて、プレビュー手段３６はステップＡ２で表示端末でのコンテンツ取得時間の条件を満たしたコンテンツについて、表示端末がコンテンツを取得する時間及び表示状態を出力し（ステップＢ１）、利用者は、取得する時間及び表示状態に問題がないか目視により判別し、その判別結果を入力する（ステップＢ２）、問題がない旨の入力があった場合、コンテンツ出力手段３５が編集結果を出力する（ステップＡ７）。
編集条件を修正する旨の入力があった場合は、変換指示手段３７により編集条件記憶部４１に保存され得ている編集条件の内容を書き換えて（ステップＢ３）、再びステップＡ４の処理に戻る。
【００３９】
次に、本実施の形態の効果について説明する。
本実施の形態では、編集条件記憶部２１の編集条件によるコンテンツの編集結果に対して、画像品質をはじめとする表示状態の確認により放送のために変更が必要であると判断された場合に、対話型の指示によりコンテンツ素材の変換の程度を変更させることで、放送内容に応じた多様な編集条件の下でコンテンツ編集作業を繰り返すことができる。
例えば、あるスポンサーに関係したイベント中継の映像番組とデータ放送コンテンツが連動する場合に、スポンサー事業に関係するバナーのようなコンテンツ素材のデータサイズの削減は編集条件に記載される規定量より押さえて、他のコンテンツ素材のデータサイズを削減するような使い方に効果を発揮する。
【実施例】
【００４０】
次に、本発明の第１の実施形態について具体的な実施例を用いてその動作を説明する。
本実施例では、データ処理装置としてコンピュータを、記憶装置としてハードディスクを備え、ＣＤ−ＲＯＭドライブやＵＳＢメモリといった過般型の外部記憶装や通信ネットワーク経由で接続されるファイルサーバ等から、放送向けデジタルコンテンツを読込みこみもしくは出力する。
【００４１】
図５（ａ）に示すような、３つの静止画及び文字列が画面上にレイアウトされるデータ放送向けのＢＭＬデータ５１１と静止画データ５１２、５１３、５１４及び送出情報５１５からなるオリジナルコンテンツを読み込んだとする。各素材の取得時間は、「データサイズ÷伝送路での利用可能伝送帯域幅」の計算結果に、伝送処理に必要なオーバヘッド時間を加えた値で近似される。ここでは比較的少ない値であるオーバヘッド時間を除いた取得時間に注目し、ＢＭＬデータ５１１の取得時間が１秒、静止画５１２の取得時間が２秒、静止画５１３及び静止画５１４の取得時間がそれぞれ１秒とすると、全コンテンツ素材がＴＶ機能付きの携帯電話といった表示端末でページの表示に必要な全データが取得されるのに要する時間は、各素材の取得時間の総和である５秒となる。また、図５（ａ）のオリジナルコンテンツは送出スケジュール情報５１５により、３０秒間送出されることが指示されているものとする。
【００４２】
本発明では、静止画５１２、５１３、５１４のデータフォーマットや使用色数、データ圧縮率等を調べ、例えばＪＰＥＧ（Joint Photographic Experts Group）形式であったものをＰＮＧ（Portable Network Graphics）形式にするようなフォーマットの変換や、ＪＰＥＧ形式のままでの減色処理でデータサイズが削減される。図５（ａ）の各素材のデータ量が削減されたものを図５（ｂ）に示す。静止画５１２が変換された静止画５２２の取得に１秒、ボタン模様の静止画５１３及び静止画５１４が静止画５２３及び静止画５２４に変換され、それぞれ取得に各０．５秒を要するまでデータサイズが削減されたとする。静止画のデータサイズ削減により、ページ全体の表示に必要なデータを取得する時間は計３秒となる。コンテンツ素材が静止画であればその色数や解像度等の判別からの減色処理やコンテンツ素材データの置換処理により、音声データであればサンプリングレートを下げる再変換処理やコンテンツ素材データの置換処理により、スクリプトやＣＳＳ（Cascading Style Sheets）の記述部分であれば代替記述や外部ファイルへの置換処理により、動画であればフレーム数の減少やビットレートの変更やデータサイズの縮小や静止画データへの置換処理等により、各コンテンツ素材のデータサイズを削減することが可能である。
【００４３】
ここで、データサイズを削減したコンテンツ素材５２２、５２３、５２４及びＢＭＬデータ５２１を送出するだけではなく、データサイズを削減したコンテンツ素材を一定時間送出した後に引き続きオリジナルのコンテンツ素材５１１，５１２，５１３，５１４を送出することでコンテンツ表示端末の平均的なコンテンツ取得時間が低減されるとともに、オリジナルコンテンツの送出予定時間内でオリジナルコンテンツを端末上に表示することができる。図５（ｂ）の送出情報５２５は、図５（ｂ）の５２１，５２２，５２３，５２４を１５秒間送出し、その後に図５（ａ）の５１１、５１２、５１３、５１４を１５秒間送出する旨を指示するものである。ここで、データ取得に要する平均時間は、データ削減コンテンツの取得時間×送出時間割合＋オリジナルコンテンツの取得時間×送出時間割合で得られる。図５（ａ）、図５（ｂ）の例では、図６に示すようにオリジナルコンテンツを３０秒間送出する場合は表示端末での平均取得時間が５秒かかっていたものが、データ量削減コンテンツとオリジナルコンテンツを組み合わせて送出した場合は、平均取得時間は３×１／２＋５×１／２＝４秒に短縮される。
【００４４】
また、送出されるコンテンツ素材の内容が変わった場合、コンテンツ表示端末の画面表示も自動的に変わることが望ましく、ＢＭＬに内容更新を自動検知するモジュールアップデート機能及びモジュールアップデートを検知した場合に画面を更新する機能に関する記述をコンテンツ編集端末で新たに追加して送出する。
【００４５】
ARIB STD-B35「デジタル放送におけるデータ放送番組交換方式標準規格」に従えば、図５（ａ）のような素材を３０秒間送出する場合の記述例は、図７のようになる。図７では、コンテンツ素材のファイル名として素材５１１をｓｔａｒｔ．ｂｍｌ、素材５１２をｆａｃｅ．ｊｐｅｇ、素材５１３をｈａｒｔ．ｊｐｅｇ、素材５１４をｃｒｅｓｅｎｔ．ｊｐｅｇとしている。図５（ｂ）のように編集済みコンテンツを１５秒間送出し、その後にオリジナルコンテンツを１５秒間送出する場合の記述は図８のようになる。図８では、コンテンツ素材のファイル名として素材５２１をｓｔａｒｔ．ｂｍｌ、素材５２２をｆａｃｅ＿ｒｅｄｕｃｅｄ．ｐｎｇ、素材５２３をｈａｒｔ＿ｒｅｄｕｃｅｄ．ｐｎｇ、素材５２４をｃｒｅｓｅｎｔ＿ｒｅｄｕｃｅｄ．ｐｎｇとしている。
【００４６】
図９は、図２の処理の流れとの対応を示したもので、ステップＡ１で読み込まれた図５（ａ）で示したオリジナルコンテンツ９１１と送出情報９１２は、ステップＡ５により図５（ｂ）で示すようなコンテンツ９２１にデータ量が削減され、ステップＡ６において図５（ｂ）に相当する送出情報が９２２のように生成される。
【００４７】
図１０は、図１の素材変換手段１３と編集条件記憶部２１及び図２の処理の流れの関係を示したもので、ここではコンテンツ取得時間が１秒以上であればデータサイズを削減する編集作業を開始することを記述した条件１０１がステップＡ３において編集条件記憶部２１から取得時間計算手段１２に読み込まれ、コンテンツ取得時間が条件１０１を満足するか判断し、条件を満足するのであればＪＰＥＧ形式のデータであればＰＮＧ形式に変換してデータサイズを５０％まで削減可能だという条件１０２及び送出時間を半分に分けてデータ量を削減したコンテンツとオリジナルコンテンツを送出することを指示する条件１０３がステップＡ４において編集記憶部２１から素材変換手段１３に読み込まれ、ＪＰＥＧ形式のコンテンツ素材３つが、ステップＡ５においてＰＮＧ形式でデータサイズが半減される。ここで、条件１０３が１０秒間隔（条件１０３で“ｓｔｅｐ：ｅｖｅｎ”に代わり“ｓｔｅｐ：１０ｓ”という表記）で変換させるような指示であれば、削減対象コンテンツ素材の送出時間が３０秒であれば、素材変換手段１３はデータ削減量を２段階に分けて、１０秒ごとに送出されるコンテンツ素材が異なるような３種類の（オリジナルのコンテンツと、削減量の異なる２種類の変換されたコンテンツ）ページを作成することになる。条件１０２のような変換データの指定において、変換されるファイルタイプの指定は複数指定してもよい。（例えば、条件１０２において“ｔｒａｎｓｆｏｒｍＴｏ：ｐｎｇ”を“ｔｒａｎｓｆｏｒｍＴｏ：ｊｐｇ：ｐｎｇ“）。また、変換対象となるデータの指定は拡張子だけではなく、ファイル名に特定の文字列が含まれるような場合を指定することも可能である（例えば、コンテンツ素材のファイル名に”ｌｏｇｏ“が含まれる場合の処理記述であれば、”Ｒｕｌｅ−Ｔｙｐｅ：ｒｅｄｕｃｅｄ，ｎａｍｅ−ｍａｔｃｈ：ｌｏｇｏ、ｔｒａｓｆｏｒｍＴｏ：ｊｐｇ、ｌｉｍｉｔ：０．８”という表記）。このファイル名に特定の文字列が含まれるような場合を指定することで、特定のコンテンツ素材の変換を禁止することもできる（例えば、“Ｒｕｌｅ−Ｔｙｐｅ：ｎｏ−ｒｅｄｕｃｅｄ，ｎａｍｅ−ｍａｔｃｈ：ｓｐｏｓｏｒ”という表記）。また、条件１０３のような送出時間の指定は、上記等分以外に削減量の異なる素材個々の送出時間を指定してもよく、最小のデータ削減量の素材を１５秒間、次のデータ量削減された素材を１０秒間、オリジナルコンテンツを５秒間（例えば“ｓｔｅｐ：１５ｓ、１０ｓ、５ｓ”という表記）のような指定や時間比率（例えば“ｓｔｅｐ：ｒａｔｉｏ（２：１）”という表記）で指定できる。  
【００４８】
図１１は、図１の時系列変化加工手段１４と編集条件記憶部２１及び図２の関係を示したものである。ここではオリジナルコンテンツの送出情報が３０秒間という指示１１１であったものが、編集条件記憶部２１の送出時間をオリジナルコンテンツと編集済みコンテンツで半分ずつにしろという条件１１３により、時系列変化加工手段１４が編集済みコンテンツを１５秒間送出した後にオリジナルコンテンツの送出時間を１５秒にするという送出情報１１２を生成したことを示す。
【００４９】
次に、本発明の第２の実施形態について具体的な実施例を用いてその動作を説明する。本実施例は第１の実施例と構成を同じにするが、図３における素材変換手段１３と時系列変化加工手段１４で編集された結果が画面表示されるとともに、編集結果の変更を画面上で指示できるようになる。
【００５０】
本実施例における編集用画面の一例を図１２に示す。図上では、左半分にオリジナルコンテンツの、右半分に編集済みコンテンツの表示状態、データサイズ、送出情報を提示したものである。プレビュー手段３６として再生制御パネル１２３で表示再生を指示すると、本発明の第１の実施形態で編集加工されたコンテンツが、送出時間の経過とともに実際の表示端末の表示動作をシミュレートした結果を表示領域１２４に提示する。表示状態を目視等で確認しながら、コンテンツ制作や管理等に携わる関係者は、変換指示手段３７である編集済みコンテンツの個別の素材の圧縮比率表示１２１の内容や送出時間表示及び送出順序表示１２２の内容を変更することにより、コンテンツを適切な状態に編集加工することができる。
【図面の簡単な説明】
【００５１】
【図１】本発明の第１の実施形態であるコンテンツ編集装置の構成を示すブロック図である。
【図２】図１のコンテンツ編集装置の動作を示す流れ図である。
【図３】本発明の第２の実施形態であるコンテンツ編集装置の構成を示すプロック図である。
【図４】図３のコンテンツ編集装置の動作を示す流れ図である。
【図５】図５（ａ）は、原コンテンツの具体例を示す図である。図５（ｂ）は、編集後のコンテンツの具体例を示す図である。
【図６】編集の前後での送出情報の変化の具体例を示す図である。
【図７】送出情報の具体例を示す図である。
【図８】送出情報の変化の具体例を示す図である。
【図９】図１の素材変換手段及び時系列変化加工手段の動作を示す図である。
【図１０】図１の素材変換手段の動作を示す流れ図である。
【図１１】図１の時系列変化加工手段の動作を示す図である。
【図１２】図３のプレビュー手段が表示する画面の具体例を示す図である。
【符号の説明】
【００５２】
１、３    データ処理装置
２    記憶装置
４、５  コンテンツ編集装置
１１  コンテンツ読込手段
１２  取得時間計算手段
１３  素材変換手段
１４  時系列変化加工手段
１５  コンテンツ出力手段
２１  編集条件記憶部
３５  プレビュー手段
３６  変換指示手段
【図１】
2008160481.tif 000003
【図２】
2008160481.tif 000004
【図３】
2008160481.tif 000005
【図４】
2008160481.tif 000006
【図５】
2008160481.tif 000007
【図６】
2008160481.tif 000008
【図７】
2008160481.tif 000009
【図８】
2008160481.tif 000010
【図９】
2008160481.tif 000011
【図１０】
2008160481.tif 000012
【図１１】
2008160481.tif 000013
【図１２】
2008160481.tif 000014